(57)【要約】【課題】カメラの位置及び撮影方向の変更を精度良く行うことを可能にした撮影用具を提供する。【解決手段】棒状のシャフト３と、撮影者がシャフト３を支持する際に把持する把持部１７と、把持部１７の長尺方向をシャフト３の長尺方向に対して交差させ、把持部１７をシャフトの後端側に取り付ける支持部９とを設ける。この撮影用具１では、撮影者は、シャフト３の長尺方向と、把持部１７を握った下腕の長尺方向と、を一直線上または平行に一致させて撮影用具を支持し易くなる。その際、手首を大きく曲げることなく、シャフト３の長尺方向と下腕の長尺方向とを略一直線上または平行に一致させられる。このように支持すれば、次の効果を奏する。シャフト３の長尺方向と撮影者の視線方向とを略一致させ易い。シャフト３および把持部を握った下腕における長尺方向の相対関係を一定に保ち易い。把持部１７を握った腕の振りだけでシャフト３を左右に振れる。【選択図】図１
2011221475.tif 000002
【特許請求の範囲】
【請求項１】
棒状のシャフトと、
撮影対象を撮影するカメラを前記シャフトの先端側に取り付けるカメラ固定部と、
撮影者が前記シャフトを支持する際に把持する把持部と、
該把持部の長尺方向を前記シャフトの長尺方向に対して交差させるとともに、前記把持部を前記シャフトの後端側に取り付ける支持部と、
が設けられていることを特徴とする撮影用具。
【請求項２】
請求項１に記載の撮影用具において、
前記支持部には、前記把持部の長尺方向と前記シャフトの長尺方向との交差角度を調整する調整部がさらに設けられていることを特徴とする撮影用具。
【請求項３】
請求項１又は請求項２に記載の撮影用具において、
前記把持部には、前記カメラに指令を与える操作部がさらに設けられていることを特徴とする撮影用具。
【請求項４】
請求項１から３のいずれか１項に記載の撮影用具において、
前記把持部は、前記支持部に対して着脱可能であることを特徴とする撮影用具。
【発明の詳細な説明】
【技術分野】
【０００１】
本発明は、シャフトの先端にカメラを取り付け可能な撮影用具に関する。
【背景技術】
【０００２】
シャフトの先端にカメラが取り付けられた撮影用具が知られている（例えば、下記の特許文献１を参照）。このような撮影用具によれば、シャフトの後端側（カメラが取り付けられた先端とは反対側）を撮影者が支持することにより、高所や低所（例えば、水中）を撮影する場合の撮影者の負担を軽減させることができる。
【先行技術文献】
【特許文献】
【０００３】
【特許文献１】特表２００４−５１９９３９号公報
【発明の概要】
【発明が解決しようとする課題】
【０００４】
従来の撮影用具は、例えば、シャフトの側方から右手でシャフトの後端を把持し、左手でシャフトの先端と後端との間を把持して使用するという形態が想定されている（上記特許文献１の図２を参照）。この使用形態であると、撮影者がシャフトを右腰に当てて構え、シャフトが撮影対象に向かって延びるように保持するため、シャフトの長尺方向と撮影者の視線方向とが一致しない。そのため、撮影対象の動き等に応じてカメラの位置や撮影方向を変更させることが困難であり、慣れが必要であった。
【０００５】
上述のようにシャフトが撮影者の腰の部位に位置する場合、シャフトを左右に振ってカメラの位置等を変更するには、基本的には撮影者が上体を回転させるか体全体を回転させる必要があった。したがって、従来の撮影用具では、カメラの撮影状態の変更が困難であった。
【０００６】
本発明は、このような問題にかんがみなされたものであり、カメラの撮影状態を容易に変更することが可能な撮影用具を提供することを目的とする。
【課題を解決するための手段】
【０００７】
上記課題を解決するためになされた第１の撮影用具は、棒状のシャフトと、撮影対象を撮影するカメラを前記シャフトの先端側に取り付けるカメラ固定部と、撮影者が前記シャフトを支持する際に把持する把持部と、該把持部の長尺方向を前記シャフトの長尺方向に対して交差させるとともに、前記把持部を前記シャフトの後端側に取り付ける支持部と、が設けられていることを特徴とする撮影用具である。
【０００８】
このような撮影用具であれば、撮影者は片手又は両手で把持部を握り、シャフトの長尺方向と、把持部を握った腕、特に下腕（肘から先の部分（前腕とも言う。））の長尺方向と、を一直線上または平行に一致させて撮影用具を支持し易くなる。その際、シャフトを側方から直接握る場合と比較して、手首を大きく曲げることなく、シャフトの長尺方向と下腕の長尺方向とを略一直線上または平行に一致させ易くなる。
【０００９】
このように支持すれば、シャフトを側方から直接握る場合と比較して、次の効果を奏する。第一に、シャフトの長尺方向と撮影者の視線方向とを略一致させ易くなる。第二に、シャフトの長尺方向および把持部を握った腕の下腕の長尺方向の相対関係を一定に保ち易くなる。第三に、シャフトを左右に振る場合、把持部を握った腕の振りだけで行うこともできる。
【００１０】
したがって、撮影対象の動き等に応じて、カメラの撮影状態（位置，撮影方向）を容易に変更することができることから、動く撮影対象を連続して撮影し続けることが容易となる。
【００１１】
なお、撮影者は、例えば右手で把持部を握り、かつ、左手でシャフトを握ることもできる。この場合でも、従来の撮影用具と比較して、次の効果を奏する。第一に、撮影者は把持部を右手で把持する（右手の人指し指から薬指が隣り合った状態で、かつ、掌全体で握る）ことができるため撮影用具をしっかりと支持することができる。第二に、右手はシャフトの長尺方向と交差して延びる把持部を把持するため、右手でシャフトの長尺方向に働く力をシャフトに伝えやすい。そのため、シャフトを長尺方向に移動させやすくなる。
【００１２】
この場合、上述の効果に加えて、カメラの撮影状態（位置，撮影方向）を素早く変更することが容易となる。
第２の撮影用具は、さらに前記把持部の長尺方向と前記シャフトの長尺方向との交差角度を調整する調整部が、前記支持部に設けられていることを特徴とする撮影用具である。
【００１３】
このような撮影用具によれば、撮影者の体格や撮影環境に合わせて支持部における把持部の長尺方向とシャフトの長尺方向とがなす角度を容易に調整できる。
第３の撮影用具は、さらに前記カメラに指令を与えるための操作部が、前記把持部に設けられていることを特徴とする撮影用具である。
【００１４】
このような撮影用具によれば、撮影者が撮影用具から手を離すことなくカメラに指令を与えることができるため、カメラに指令を与えるときでも、カメラの位置及び撮影方向のブレを少なくすることができる。
【００１５】
第４の撮影用具は、さらに、前記把持部が前記支持部に対して脱着可能であることを特徴とする撮影用具である。
このような撮影用具によれば、撮影者の掌の大きさ等に合わせて適切な大きさの把持部に取り替えることができるため、より正確にカメラの位置及び撮影方向の変更ができる。また、カメラの位置及び撮影方向を安定させることもできる。
【図面の簡単な説明】
【００１６】
【図１】本発明の一実施形態に係る撮影用具の正面図である。
【図２】図１の撮影用具の上面図である。
【図３】図１の撮影用具の下面図である。
【図４】図１の撮影用具の背面図である。
【図５】図１のカメラ固定部付近の拡大正面図である。
【図６】図１のシャフトの伸縮を説明するためのシャフトの拡大図である。
【図７】図１のシャフトの伸縮を説明するためのシャフトの拡大図である。
【図８】図１の操作部が備えられた把持部の拡大図である。
【図９】図１の操作部の拡大図である。
【図１０】図１の支持部の拡大背面図である。
【図１１】図１の支持部の拡大上面図である。
【図１２】図１の支持部の拡大正面図である。
【図１３】図１のシャフトに対する角度を変更した支持部の拡大正面図である。
【図１４】図１のシャフトに対する角度を変更した支持部の拡大正面図である。
【図１５】本発明の他の実施形態に係る撮影用具の要部拡大図である。
【発明を実施するための形態】
【００１７】
以下、本発明が適用された一実施形態について図面を用いて説明する。なお、本発明の実施の形態は、下記の実施形態に何ら限定されることはなく、本発明の技術的範囲に属する限り種々の形態を採りうる。
【００１８】
［構成の説明］
図１は実施形態の撮影用具１の正面図であり、図２は撮影用具１の上面図であり、図３は撮影用具１の下面図であり、図４は撮影用具１の背面図である。
【００１９】
撮影用具１は、高所や低所（例えば、水中）を撮影する場合に用いられるものである。撮影用具１は、シャフト３と、カメラ５と、カメラ固定部７と、支持部９と、調整部１１と、コード１３とを備える。
【００２０】
シャフト３は、伸縮自在であり任意の伸縮位置（任意の長さ）で固定可能な棒状の部材であって、先端（図１の左側端部）にカメラ固定部７が配置され、後端（図１の右側端部）に調整部１１が配置されるものである。
【００２１】
具体的には、図５〜図７に示すように、シャフト３は、先端側（図５の左側）から後端側（図５の右側）に向かって順に、第１シャフト３１、第２シャフト３３、第３シャフト３５及び第４シャフト３７を備える。
【００２２】
第１シャフト３１は、第２シャフト３３の内部に挿抜可能に構成された柱状または筒状の部材である。第１シャフト３１の先端にはカメラ固定部７が配置され、第１シャフト３１の後端は第２シャフト３３の内部に挿入されている。
【００２３】
同様に、第２シャフト３３は、第３シャフト３５の内部に挿抜可能に構成された筒状の部材である。第２シャフト３３の先端にはレバー部３３ａが配置され、第２シャフト３３の後端は第３シャフト３５の内部に挿入されている。
【００２４】
レバー部３３ａは、第２シャフト３３に対する第１シャフト３１の挿抜を制御（挿抜可能な非固定状態と挿抜不可能な固定状態との切り替えを）するものである。第２シャフト３３に設けられたレバー部３３ａの状態を切り替える、つまりレバー部３３ａから延びる板状のレバーの配置位置を回動させて、第１シャフト３１を締めつけたり緩めたりすることにより、第１シャフト３１を挿抜可能な非固定状態と挿抜不可能な固定状態とに切り替えることができる。
【００２５】
同様に、第３シャフト３５は、第４シャフト３７の内部に挿抜可能に構成された筒状の部材である。第３シャフト３５の先端にはレバー部３５ａが配置され、第３シャフト３５の後端は第４シャフト３７の内部に挿入されている。
【００２６】
レバー部３５ａは、第３シャフト３５に対する第２シャフト３３の挿抜を制御するものである。第３シャフト３５に設けられたレバー部３５ａの状態を切り替える、つまりレバー部３３ａから延びる板状のレバーの配置位置を回動させて、第２シャフト３３を締めつけたり緩めたりすることにより（図６および図７参照。）、第２シャフト３３を挿抜可能な非固定状態と挿抜不可能な固定状態とに切り替えることができる。
【００２７】
同様に、第４シャフト３７は、内部に第３シャフト３５が挿抜可能とされた筒状の部材である。第４シャフト３７の先端にはレバー部３７ａが配置され、後端には調整部１１が配置されている。
【００２８】
レバー部３７ａは、第４シャフト３７に対する第３シャフト３５の挿抜を制御するものである。第４シャフト３７に設けられたレバー部３７ａの状態を切り替えることにより、第３シャフト３５を挿抜可能な非固定状態と挿抜不可能な非固定状態とに切り替えることができる。
【００２９】
説明を図１から図４に戻し、カメラ５は、カメラ固定部７によってシャフト３に対して矢印Ａ方向（図１参照。）に揺動可能に固定されている。
カメラ５は、撮影対象の動画や静止画を取得するものである。カメラ５には、動作を制御する信号をカメラ５に伝達するとともに、取得された動画等に関する信号を伝達するコード１３が接続されている。カメラ５は、カメラ固定部７に固定して取り付けられていてもよいし、着脱可能に取り付けられていてもよく、特に限定するものではない。
【００３０】
なお、水中の撮影対象の動画等を取得する場合には、カメラ５としては防水処理が施されたもの、あるいは、防水ケースに収納されたものを用いることが好ましい。
カメラ固定部７は、第１シャフト３１とカメラ５との間に配置された部材であり、カメラ５を保持するものである。カメラ固定部７は、第１シャフト３１に対して、第１シャフト３１の長尺方向と交差する方向、より好ましくは直交する方向（図１の紙面に対して直交する方向）に延びる回転軸線まわりに回動または揺動可能に取り付けられている。
【００３１】
支持部９は、撮影を行う撮影者が撮影用具１を把持する部分であるとともに、カメラ５に対して指示を与える部分でもある。
支持部９は、支持腕１５と把持部１７とを備える。
【００３２】
支持腕１５は、調整部１１と把持部１７との間に配置された部材であり、把持部１７を支持するものである。支持腕１５の調整部１１側は、ブロック状または柱状に形成され、調整部１１に対して図１の矢印Ｂ方向に揺動可能に取り付けられている。言い換えると、図１の紙面に対して直交する方向に延びる回転軸線まわりに回動可能に取り付けられている。その一方、支持腕１５の把持部１７側は、断面がコの字状の筒、または、一つの面が切り欠かれた四角筒状に形成されている。コの字状の内部空間、または、四角筒の内部空間は、支持腕１５の長尺方向と直交する方向に延び、さらに、調整部１１から把持部１７に向かって解放されている。
【００３３】
把持部１７は、コの字状の内部、または、四角筒の内部に差し込まれることにより、支持腕１５に挟持される。
なお、把持部１７の長尺方向と支持腕１５の長尺方向とは直角をなしており、図１に示すように、把持部１７の中央付近をシャフト３の延長軸上に位置させることができる。
【００３４】
把持部１７は、撮影者が把持する部分であるとともに、カメラ５に対して指示を与えるブロック状または柱状に形成されたものである。把持部１７の一面には、図８及び図９に示すように、カメラ５に対して指示を与えるための操作ボタン群１７ａ（操作部）配置されている。その一方、当該一面と反対の面には、撮影者の指がかかりやすいように複数の凹凸形状が設けられている。
【００３５】
また、把持部１７には、カメラ５との間で信号が伝達されるコード１３が接続されている。具体的には、操作ボタン群１７ａのいずれかのボタンが押下された際に生じる信号や、カメラ５により取得された動画等に関する信号がコード１３により伝達される。
【００３６】
支持腕１５には、挟持された把持部１７を固定する脱着螺子群１５ａが配置されている。脱着螺子群１５ａは、図８および図９に示すように、支持腕１５に貫通して形成されたネジ孔にねじ込まれると、螺子の先端が把持部１７に当たり、把持部１７を支持腕１５の内面に押しつける。これにより、把持部１７は、支持腕１５に固定される。
【００３７】
その一方で、脱着螺子群１５ａを緩めると、螺子の先端が把持部１７から離れる。そのため、支持腕１５から把持部１７を取り外しできる。
調整部１１は、シャフト３と、支持部９（支持腕１５および把持部１７）との相対姿勢（逸れ角）を調整するものである。
【００３８】
調整部１１は、図１０及び図１１に示すように、第１の支持金具１１ａおよび第２の支持金具１１ｂと、調整螺子１１ｃと、軸部１１ｄとを備える。
第１の支持金具１１ａおよび第２の支持金具１１ｂは対向して配置され、第４シャフト３７における支持部９側の端部を挟持するとともに、支持部９の支持腕１５を挟持する板状の部材である。第１の支持金具１１ａおよび第２の支持金具１１ｂは、第４シャフト３７から逸れる方向、つまり第４シャフト３７の長尺方向（図１０の左右方向）に対して交差する方向、より好ましくは直交する方向（図１０の上方向）に延びて配置されている。
【００３９】
第１支持金具１１ａおよび第２の支持金具１１ｂにおける第４シャフト３７側の端部は第４シャフト３７に固定されている。その一方で、支持腕１５側の端部には、調整螺子１１ｃおよび軸部１１ｄが配置され、支持腕１５が軸部１１ｄまわりに揺動可能に取り付けられている。
【００４０】
調整螺子１１ｃは、支持腕１５に対する第１の支持金具１１ａおよび第２の支持金具１１ｂの挟持力を調節する円板状に形成されたものである。調節螺子１１ｃの中心の貫通孔には、軸部１１ｄに形成された雄ネジと噛みあわされる雌ネジが形成されている。
【００４１】
軸部１１ｄは、第１の支持金具１１ａおよび第２の支持金具１１ｂに対して支持腕１５を揺動可能に支持するものである。軸部１１ｄは、図１０および図１２に示すように、第４シャフト３７から逸れた位置であって、第４シャフト３７の長尺方向と交差する方向、より好ましくは直交する方向（紙面に対して直交する方向）に延びて配置されている。言い換えると、第４シャフト３７に対して「ねじれの位置」に配置されている。
【００４２】
さらに、軸部１１ｄは、図１１に示すように、第１の支持金具１１ａ、支持腕１５、第２の支持金具１１ｂ、調整螺子１１ｃを貫通して配置されている。軸部１１ｄにおける第１の支持金具１１ａ側の端部には、軸部１１ｄが抜けるのを防止する抜け防止部が配置されている。本実施形態では、抜け防止部としてナットを用いた例に適用して説明する。
【００４３】
調節螺子１１ｃを一方の回転方向に回転させる（締める）と、調節螺子１１ｃは軸部１１ｄに沿って支持腕１５に接近する方向に移動し、第２の支持金具１１ｂを支持腕１５に向けて押圧する。軸部１１ｄは、調節螺子１１ｃにより第１の調節金具１１ａから第２の調節金具１１ｂに向かって引っ張られる。これにより第１の支持金具１１ａは、軸部１１ｄの抜け防止部により支持腕１５に向けて押圧される。その結果、支持腕１５に対する第１の支持金具１１ａおよび第２の支持金具１１ｂの挟持力が強まり、支持腕１５が第１の支持金具１１ａおよび第２の支持金具１１ｂに対して軸部１１ｄを中心軸として揺動しづらくなる。
【００４４】
その一方、調節螺子１１ｃを他方の回転方向に回転させる（緩める）と、調節螺子１１ｃは軸部１１ｄに沿って支持腕１５から離れる方向に移動する。すると、第１の支持金具１１ａおよび第２の支持金具１１ｂに働いていた支持腕１５に向かう押圧力が弱まり、支持腕１５に対する第１の支持金具１１ａおよび第２の支持金具１１ｂの挟持力が弱まり、支持腕１５が第１の支持金具１１ａおよび第２の支持金具１１ｂに対して軸部１１ｄを中心軸として揺動しやすくなる。
【００４５】
換言すれば、調整螺子１１ｃを緩めることにより支持部９（支持腕１５と把持部１７）をシャフト３に対して揺動させることができ、調整螺子１１ｃを締めることにより支持部９（支持腕１５と把持部１７）をシャフト３に対して特定の角度（特定の逸れ角）で固定させることができる。
【００４６】
なお、上述したように、支持腕１５は把持部１７を挟持しているため、把持部１７が支持腕１５によって挟持された状態では支持腕１５と把持部１７とは一体となってシャフト３に対して揺動し得る（図１２から図１４を参照）。
【００４７】
さらに、第１の支持金具１１ａには、軸部１１ｄを中心とした円弧上に複数の孔群１１ｅが並んで設けられている。これに対応して、支持腕１５における第１の支持金具１１ａと対向する面には、第１の支持金具１１ａに向かって突出する一つの突部１５ｂが設けられている。突部１５ｂは孔群１１ｅのいずれかと係合することにより、シャフト３に対する支持部９の角度決め（逸れ角決め）を容易に行うことができるようになっている。
【００４８】
シャフト３に対する支持部９の角度決めを行う場合、調整螺子１１ｃを緩めた後に角度決めが行われる。このとき、突部１５ｂに押圧されて第１の支持金具１１ａが撓み、孔群１１ｅが設けられた部分が支持腕１５から離れる方向に移動する。孔群１１ｅの一つと係合していた突部１５ｂは、当該孔群１１ｅの一つから隣接する孔に移動する。突部１５ｂと当該隣接する孔とが係合すると、第１の支持金具１１ａの撓みがなくなり、シャフト３に対する支持部９の角度が保持される。つまり、シャフト３に対する支持部９の角度決めが容易になる。
【００４９】
その一方で、調整螺子１１ｃを締めると、第１の支持金具１１ａが調節螺子１１ｃにより支持腕１５に向かって押圧される。突部１５ｂは孔群１１ｅとの係合を解くことが困難となり、シャフト３に対する支持部９の角度が確実に保持される。
【００５０】
［作用・効果の説明］
このような撮影用具１であれば、撮影者は片手又は両手で把持部１７を握り、シャフト３の長尺方向と、把持部１７を握った腕の下腕の長尺方向と、を一直線上または平行に一致させて撮影用具１を支持し易くなる。その際、シャフト３を側方から直接握る場合と比較して、手首を大きく曲げることなく、シャフト３の長尺方向と下腕の長尺方向とを略一直線上または平行に一致させ易くなる。
【００５１】
このように支持すれば、シャフト３を側方から直接握る場合と比較して、次の効果を奏する。第一に、シャフト３の長尺方向と撮影者の視線方向とを略一致させ易くなる。第二に、シャフト３の長尺方向および把持部１７を握った腕の下腕の長尺方向の相対関係を一定に保ち易くなる。第三に、シャフト３を左右に振る場合、把持部１７を握った腕の振りだけで行うこともできる。
【００５２】
したがって、撮影対象の動き等に応じて、カメラ５の撮影状態（位置，撮影方向）を容易に変更することができることから、動く撮影対象を連続して撮影し続けることが容易となる。
【００５３】
なお、撮影者は、例えば右手で把持部１７を握り、かつ、左手でシャフト３を握ることもできる。この場合でも、従来の撮影用具と比較して、次の効果を奏する。第一に、撮影者は把持部１７を右手で把持する（右手の人指し指から薬指が隣り合った状態で、かつ、掌全体で握る）ことができるため撮影用具１をしっかりと支持することができる。第二に、左手の下腕の長尺方向はシャフト３の長尺方向と交差するため、シャフト３を長尺方向と交差する方向に移動させやすい。
【００５４】
この場合、上述の効果に加えて、カメラ５の撮影状態（位置，撮影方向）を素早く変更することが容易となる。
また、支持部９は、シャフト３に対する角度を調整可能な調整部１１によってシャフト３に固定されているため、撮影者の体格や撮影環境に合わせて支持部９における把持部１７の長尺方向とシャフト３の長尺方向とがなす角度を容易に調整できる。
【００５５】
また、カメラ５に指令を与えるための操作ボタン群１７ａが把持部１７に設けられているため、撮影者が撮影用具１から手を離すことなくカメラ５に指令を与えることができる。そのため、カメラ５に指令を与えるときでも、カメラ５の位置及び撮影方向のブレを少なくすることができる。
【００５６】
また、把持部１７は、支持腕１５に対して脱着可能であるため、撮影者の掌の大きさ等に合わせて適切な大きさの把持部１７に取り替えることができる。そのため、より正確にカメラ５の位置及び撮影方向の変更ができる。また、カメラ５の位置及び撮影方向を安定させることもできる。
【００５７】
［他の実施形態］
本発明の実施形態は、上述した撮影用具１の構成に限られない。例えば、図１５に示すように、シャフト３の後ろ側の端部３ａと、把持部１７における支持腕１５に支持された端部とは反対側の端部１７ｂとを、棒状の支持腕４１を用いて接続してもよい。
【００５８】
支持腕４１は、シャフト３と同様に、伸縮自在であり任意の伸縮位置で固定可能な構成とされている。さらに、支持腕４１とシャフト３の端部３ａとの間、および、支持腕４１と把持部１７の端部１７ｂとの間には、調整部１１と同様な構成を有する調整部４１ａおよび調整部４１ｂが設けられている。そのため、支持腕４１を伸縮させることにより、把持部１７の長尺方向およびシャフト３の長尺方向の間における交差角度の変更を阻害することがない。また、支持腕４１の伸縮を固定することにより、調整部１１のみの場合と比較して、把持部１７とシャフト３との相対姿勢がより安定させることができる。
【００５９】
これにより、カメラ５の位置を安定させることができ、カメラ５の撮影方向のブレを少なくすることができる。
支持腕４１を伸縮自在、かつ、伸縮位置で固定可能とする構成としては、他に、支持腕４１を構成する把持部１７側の第１の支持腕と、シャフト３側の第２の支持腕との重なり部分に長孔を形成し、当該長孔にネジを配置する構成であってもよい。このネジを緩めることにより、第１の支持腕と第２の支持腕との相対移動を可能とし、支持腕４１の伸縮を可能とされる。その一方で、ネジを締めることにより、第１の支持腕と、第２の支持腕と相対位置を固定し、支持腕４１の伸縮が固定可能とされる。
【００６０】
さらに、図１５に示すように、把持部１７の端部１７ｂから延びる棒状の補助杆５１と、補助杆５１における先端側（図１５における右側）に設けられた把持環５２と、が設けられていてもよい。
【００６１】
補助杆５１の把持部１７側（図１５における左側）の端部には、支持腕１５と同様に、把持部１７の端部１７ｂを支持する支持腕５１ａが設けられているとともに、調整部１１と同様に、把持部１７の長尺方向および補助杆５１の長尺方向の間の交差角度を変更可能とする調整部５１ｂが設けられている。このようにすることで、把持部１７の長尺方向およびシャフト３の長尺方向の間における交差角度が変更された際に、シャフト３の長尺方向と補助杆５１の長尺方向とが約平行に保つことができる。
【００６２】
把持環５２は、把持部１７を把持した腕、特に下腕が挿通されるものであり、把持部１７を力強く握りしめることなく、撮影用具１の姿勢を安定させる環状の部材である。把持環５２は、補助杆５１における把持部１７が延びる側（図１５の上側）であって、把持環５２によって構成される平面が、補助杆５１の長尺方向と交差するように、より好ましくは直交するように配置されている。
【００６３】
なお、把持環５２は、切れ目のない環状に形成されたものであってもよいし、切り欠きが形成された環状の部材であってもよく、特に限定するものではない。
撮影者は、把持環５２に腕を通し、通した腕の掌で把持部１７を把持することにより、撮影用具１を把持する。これにより、撮影用具１は把持部１７および把持環５２の二か所によって姿勢が保持され、把持部１７のみで撮影用具１の姿勢を保持する場合と比較して、容易かつ確実に姿勢を保持することができる。さらに、シャフト３の長尺方向と、撮影用具１を把持した腕、特に下腕の長尺方向とを一致させやすくなる。
【符号の説明】
【００６４】
１…撮影用具、３…シャフト、３ａ…端部、５…カメラ、７…カメラ固定部、９…支持部、１１…調整部、１１ａ…第１の支持金具、１１ｂ…第２の支持金具、１１ｃ…調整螺子、１１ｄ…軸部、１１ｅ…孔群、１３…コード、１５…支持腕、１５ａ…脱着螺子群、１５ｂ…突部、１７…把持部、１７ａ…操作ボタン群、１７ｂ…端部、３１…第１シャフト、３３…第２シャフト、３３ａ…レバー部、３５…第３シャフト、３５ａ…レバー部、３７…第４シャフト、３７ａ…レバー部。
【図１】
2011221475.tif 000003
【図２】
2011221475.tif 000004
【図３】
2011221475.tif 000005
【図４】
2011221475.tif 000006
【図５】
2011221475.tif 000007
【図６】
2011221475.tif 000008
【図７】
2011221475.tif 000009
【図８】
2011221475.tif 000010
【図９】
2011221475.tif 000011
【図１０】
2011221475.tif 000012
【図１１】
2011221475.tif 000013
【図１２】
2011221475.tif 000014
【図１３】
2011221475.tif 000015
【図１４】
2011221475.tif 000016
【図１５】
2011221475.tif 000017